(57)【要約】  本発明は、液体薬剤−粉体薬剤即時混合型自動注射器に係り、注射アセンブリ、薬剤混合アセンブリと射出装置から構成される。注射アセンブリは、注射部用外側スリーブ（６）を含み、カートリッジアンプル（５）がその内側にスライド可能に嵌め込まれ、注射針（２８）が注射針支持基台部（３）を介してカートリッジアンプル（５）の瓶口と同軸に接続される。薬剤混合アセンブリは、薬剤混合部用外側スリーブ（９）を含み、圧力の予め充填される溶媒ボトル（８）がその内側にスライド可能に嵌め込まれ、薬剤混合用針（２７）が薬剤混合用針支持基台部（７）を介して溶媒ボトル（８）の瓶口と同軸に接続される。射出装置は、射出部用外側スリーブ（２２）と、その内側にスライド可能に嵌め込まれる弾性を有する押込ロッド機構を含む。注射アセンブリは、可動連結機構により交換で、薬剤混合アセンブリ及び射出装置と接続する。本発明は、液体薬剤自動注射器にも関わり、上述した注射アセンブリと射出装置から構成される。本発明の自動注射器の操作は、便利且つ迅速であり、薬品汚染を有効に防止でき、特に野外、戦地と自己緊急救護に適する。
2009518080.tif 000002
【特許請求の範囲】
【請求項１】
注射アセンブリ、薬剤混合アセンブリと射出装置から構成される注射器により特徴づけられる液体薬剤−粉体薬剤即時混合型自動注射器であって、
前記注射アセンブリは、カートリッジアンプル（５）がその内側にスライド可能に嵌め込まれる筒状の注射部用外側スリーブ（６）と、
内部に粉体の薬剤が入れられて開口した底部を有するカートリッジアンプル（５）と、
カートリッジアンプル（５）の内側に与えられるピストン（２６）と、
カートリッジアンプル（５）の瓶口と注射針支持基台部（３）を介して同軸に接続されて両端に貫通端を有する注射針（２８）と、
を含み、
前記注射針（２８）は、前記注射部用外側スリーブ（６）の前端部に位置し、
前記カートリッジアンプル（５）の底部は、前記注射部用外側スリーブ（６）の後端部に位置し、
前記薬剤混合アセンブリは、筒状の薬剤混合部用外側スリーブ（９）を含み、
前記薬剤混合部用外側スリーブ（９）は、中心部に穴を有しての前端部が閉じられ、
溶媒ボトル（８）は、圧力が予めかけられ薬剤混合部用外側スリーブ（９）の内側にスライド可能に嵌め込まれ、
薬剤混合用針（２７）は、両端に各々針先を有し、薬剤混合用針支持基台部（７）を介して前記溶媒ボトル（８）の瓶口と同軸に接続し、
前記薬剤混合用針（２７）は、前記薬剤混合部用外側スリーブ（９）の前端部に位置し、
前記溶媒ボトル（８）の底部は、前記薬剤混合部用外側スリーブ（９）の後端部に位置し、
前記射出装置は、筒状の射出部用外側スリーブ（２２）と、射出部用外側スリーブ（２２）の内側にスライド可能に嵌め込まれて弾性を有する押込ロッド機構と、を含み、
前記注射アセンブリの後端部は、回転可動連結機構を介して、前記薬剤混合アセンブリの前端部、及び、前記射出装置の前端部と、交互に接続し、
前記注射アセンブリが前記薬剤混合アセンブリと同軸に接続される時、前記薬剤混合用針（２７）は、前記注射アセンブリの底部に与えられたピストン（２６）に向かい、
前記注射アセンブリが前記射出装置と同軸に接続される時、前記弾性を有する押込ロッド機構の前端部は、前記カートリッジアンプル（５）の底部と前記ピストン（２６）に対向配置される
ことを特徴とする液体薬剤−粉体薬剤即時混合型自動注射器。
【請求項２】
前記注射部用外側スリーブ（６）の内径は、注射部用外側スリーブ（６）の内壁上に三段階の環形状の段を形成するように、注射部用外側スリーブ（６）の軸方向に沿っての前端部からの後端部まで三回拡大され、
その内側の第１の環形状の段は、注射部用外側スリーブ（６）の内壁の前端部に位置し、
第２の環形状の段と第３の環形状の段は、注射部用外側スリーブ（６）の内壁の中央部に位置する
ことを特徴とする請求項１に記載の液体薬剤−粉体薬剤即時混合型自動注射器。
【請求項３】
前記注射針支持基台部（３）は、環形状で、その前端部は閉じられて中心部には穴が形成され、その後端部は開口して前記カートリッジアンプル（５）の瓶口がスライド可能にはめ込まれ、
前記注射針支持基台部（３）は、最終的にその前端部が前記注射部用外側スリーブ（６）の内側の第１の環形状の段で止まるまで、前記カートリッジアンプル（５）と共に前へ移動し、
前記注射針（２８）は、前記注射針支持基台部（３）の中心部を介して延伸され、前記注射針支持基台部（３）と固定接続される
ことを特徴とする要求項２に記載の液体薬剤−粉体薬剤即時混合型自動注射器。
【請求項４】
前記注射針支持基台部（３）の前端部には、注射針カバー（２）が与えられている
ことを特徴とする要求項３に記載の液体薬剤−粉体薬剤即時混合型自動注射器。
【請求項５】
前記注射アセンブリは、切断リング（２５）と保護リング（４）を含み、
前記切断リング（２５）は、薄い鋼板で形成された短い筒状で、
その外径は、前記注射部用外側スリーブ（６）の第２の環形状の段と第３の環形状の段の間の内径と等しいか、又は、それより僅かに小さく、
その軸方向長さは、前記注射部用外側スリーブ（６）の第２の環形状の段と第３の環形状の段の間の距離に等しく、
その後端部は、徐々に薄くなって環形状刃（２５１）を形成し、
前記保護リング（４）は、２個の半円形状の板材より構成され、その外径は、前記切断リング（２５）の内径より僅かに小さく、
前記注射部用外側スリーブ（６）における第２の環形状の段の前の部分の内径よりも僅かに小さく、その中心部に前記カートリッジアンプル（５）の瓶口を通すことができる円孔と、前記円孔周囲箇所からの前端部へ延びる筒状突起（４１）が与えられ、
前記保護リング（４）の周囲に、２−１６個の接続リブ（４２）が、保護リング（４）の直径方向に等距離で分布するように形成され、
前記保護リング（４）の外径といずれか２個の反対側に位置する接続リブ（４２）との合計の長さ寸法は、注射部用外側スリーブ（６）における第３の環形状の段からの後端部までの部分における内径の長さ寸法よりも僅かに小さく、
前記切断リング（２５）は、前へ移動して前記注射部用外側スリーブ（６）の内側の第２の環形状の段で止められ、
前記保護リング（４）の筒状突起（４１）は、前記カートリッジアンプル（５）のボトルネックの上に嵌められ、
前記保護リング（４）の後端部は、前記カートリッジアンプル（５）の肩部で止められ、
前記保護リング（４）の周囲の接続リブ（４２）は、前へ移動して前記注射部用外側スリーブ（６）の内側の第３の環形状の段で止められ、
前記切断リング（２５）の切断刃（２５１）は、前記保護リング（４）周囲上に形成された接続リブ（４２）と当接する
ことを特徴とする要求項２に記載の液体薬剤−粉体薬剤即時混合型自動注射器。
【請求項６】
前記注射部用外側スリーブ（６）の前端部の開口箇所には、保護キャップ（１）が与えられる
ことを特徴とする要求項１に記載の液体薬剤−粉体薬剤即時混合型自動注射器。
【請求項７】
前記薬剤混合アセンブリは、ボトルホルダ（１０）、ロッキングリング（１１）、薬剤混合押ハンドル（１２）とボトル戻し用バネ（２４）も含み、
前記ボトルホルダ（１０）の前端部は、前記溶媒ボトル（８）の底部がはめ込まれて保持され、の後端部は、前記薬剤混合押ハンドル（１２）がきつくはめ込まれ、
前記ロッキングリング（１１）は、薬剤混合部用外側スリーブ（９）の後端部に、ネジ止め又はきつくはめ込まれることで、前記溶媒ボトル（８）を前記薬剤混合部用外側スリーブ（９）内部に位置決めし、
前記薬剤混合押ハンドル（１２）は、ロッキングリングの穴から延伸され、
前記ボトル戻し用バネ（２４）は、前記溶媒ボトル（８）に嵌められ、その前端部と後端部が、それぞれ前記薬剤混合部用外側スリーブ（９）前面内側と前記ボトルホルダ（１０）の前端部で止められる
ことを特徴とする請求項１に記載の液体薬剤−粉体薬剤即時混合型自動注射器。
【請求項８】
薬剤混合用針支持基台部（７）は、環形状であり、その前端部は閉じられ中心部に穴が開けられて、前記薬剤混合用針（２７）を通させそれと固定接続し、
その後端部の開口には、前記溶媒ボトル（８）の瓶口がスライド可能にはめ込まれ、
その内壁の上には、溶媒ボトル８の開口の後縁に掛かる鉤爪が与えられている
ことを特徴とする請求項１に記載の液体薬剤−粉体薬剤即時混合型自動注射器。
【請求項９】
弾性を有する押込ロッド機構は、注射針押込ロッド（１９）、針延出用押込みロッドバネ（１７）、位置決めカップ（１６）、注射液押込ロッド（２０）、注射用押込ロッドバネ（１８）、伸長可能ロッド（２１）、射出キャップ（１３）、射出キャップ用バネ（１５）と固定リング（１４）から構成され、
前記注射針押込ロッド（１９）、位置決めカップ（１６）、注射液押込ロッド（２０）と伸長可能ロッド（２１）は、全て筒形状であり、外と内でスライド可能であるように順次嵌め込まれ、
前記注射針押込ロッド（１９）の後端部の直径は、段を形成するように拡大され、
矢印形状の係止部は、前記射出部用外側スリーブ（２２）の後端部にはめられるように針延出用押込ロッド（１９）の後端部に形成され、
位置決め突起は、前記射出部用外側スリーブ（２２）の内壁に与えられて、
前記位置決めカップ（１６）の後端部には、位置決めカップの直径よりも大きな直径を有する位置決めカップの終端面（１６１）を有し、
前記位置決めカップの終端面（１６１）は、中心が開口し、終端面の２側面方向には、各々２個の突起が形成され、
前記注射液押込ロッド（２０）の側面には、軸方向にスロット（２０１）を有し、の後端部には矢印形状の係止部を有し、
係止部は、前記位置決めカップ終端面（１６１）の中心の穴を通って延伸され、前記位置決めカップ終端面（１６１）の後端部に止められ、
前記伸長可能ロッド（２１）の中央部には、外側へ突出する弾性バックル（２１２）と突起（２１３）を有し、
その前端部には、伸長可能ロッドよりも大きな直径を有する伸縮可能ロッド終端面（２１１）を有し、
前記弾性バックル（２１２）と突起（２１３）は、前記注射液押込ロッド（２０）の側面の軸方向のスロット（２０１）にスライド可能にはめ込まれ、
前記突起（２１３）は、前記軸方向にスロット（２０１）の終端部で止まり、
前記伸縮可能ロッド終端面（２１１）は、前記注射針押込ロッド（１９）の前端部の外側に位置し；
前記射出キャップ（１３）は、二重の筒状構造であり、その外側の筒（１３１）には、前記位置決めカップ終端面（１６１）の突起と対応する前端部の両側に位置決めノッチを有し、その後端部は、直径が縮小して段を形成して閉じられており、
前記射出キャップ（１３）は、前記射出部用外側スリーブ（２２）の内部にスライド可能に嵌め込まれ、
前記位置決めカップ終端面（１６１）は、前記射出キャップの外側の筒（１３１）の前端部に嵌めこみ、
前記射出キャップ外側の筒（１３１）の前端部は、前記注射針押込ロッド（１９）の後端部に形成された鉤を止め；
前記固定リング（１４）が前記射出部用外側スリーブ（２２）の後端部にきつくはめ込まれ、前記射出キャップ（１３）の前端部を、前記射出部用外側スリーブ（２２）の内側に位置決めし、
前記射出キャップ（１３）の後端部は、その固定リングの穴から延伸され、
前記針延出用押込みロッドバネ（１７）は、前記位置決めカップ（１６）の外側に嵌められ、前記注射針押込ロッド（１９）の内側に形成された段と、前記位置決めカップ終端面（１６１）との間に位置し；
前記注射用押込ロッドバネ（１８）は、前記注射液押込ロッド（２０）の後端部に嵌められ、前記注射液押込ロッド（２０）の後端部の肩部と前記位置決めカップ終端面（１６１）の間に位置し；
前記射出キャップ用バネ（１５）は、前記射出キャップ外側の筒（１３１）の内側に形成された段と、前記位置決めカップ終端面（１６１）との間に位置する
ことを特徴とする請求項１に記載の液体薬剤−粉体薬剤即時混合型自動注射器。
【請求項１０】
可動連結機構は、一つの中心回転軸（２３）、前記注射部用外側スリーブ（６）の一方の側に固定される注射アセンブリ用の軸スリーブ（６１）、前記薬剤混合部用外側スリーブ（９）の一方の側に固定される薬剤混合アセンブリ用の軸スリーブ（９１）と、前記射出部用外側スリーブ（２２）の一方の側に固定される射出装置用の軸スリーブ（２２１）を含み、
前記注射アセンブリ用の軸スリーブ（６１）、薬剤混合アセンブリ用の軸スリーブ（９１）と射出装置用の軸スリーブ（２２１）は、解放端を有する軸スリーブで、前記中心回転軸（２３）に嵌め込み接続される
ことを特徴とする請求項１〜９のいずれかに記載の液体薬剤−粉体薬剤即時混合型自動注射器。
【請求項１１】
前記可動連結機構は、前記注射部用外側スリーブ（６）の後端部で前記注射アセンブリ用の軸スリーブ（６１）の反対側に固定される位置決め軸（６２）、前記薬剤混合部用外側スリーブ（９）の前端部の対応する側面に固定される薬剤混合アセンブリの位置決めスロット（９２）と、前記射出部用外側スリーブ（２２）の前端部の対応する側面に固定される射出装置用の位置決めスロット（２２２）を含み、
前記注射アセンブリに前記薬剤混合アセンブリと前記射出装置とを交換して同軸で接続する時、前記位置決め軸（６２）は、前記薬剤混合アセンブリの位置決めスロット（９２）と、前記射出装置用の位置決めスロット（２２２）に交換で嵌め込まれる
ことを特徴とする請求項１０に記載の液体薬剤−粉体薬剤即時混合型自動注射器。
【請求項１２】
前記可動連結機構は、前記注射部用外側スリーブ（６）の後端部の周縁部に対称に形成される位置決め軸（６２）、前記薬剤混合部用外側スリーブ（９）の前端部の周縁部に対称に形成される薬剤混合アセンブリの位置決めスロット（９２）と、前記射出部用外側スリーブ（２２）の前端部の周縁部に対称に形成される射出装置用の位置決めスロット（２２２）を含み、
前記位置決め軸（６２）は、前記薬剤混合アセンブリの位置決めスロット（９２）と、前記射出装置用の位置決めスロット（２２２）に交換で嵌め込まれる
ことを特徴とする請求項１〜９のいずれかに記載の液体薬剤−粉体薬剤即時混合型自動注射器。
【請求項１３】
注射アセンブリと射出装置から構成される液体薬剤自動注射器において、
前記注射アセンブリは、カートリッジアンプル（５）がその内側にスライド可能に嵌め込まれる筒状の注射部用外側スリーブ（６）と、
内部に液体の薬剤が入れられて開口した底部を有するカートリッジアンプル（５）と、
カートリッジアンプル（５）の内側に与えられるピストン（２６）と、
カートリッジアンプル（５）の瓶口と注射針支持基台部（３）を介して同軸に接続されて両端に貫通端を有する注射針（２８）と、を含み、
前記注射針（２８）は、前記注射部用外側スリーブ（６）の前端部に位置し、
前記カートリッジアンプル（５）の底部は、前記注射部用外側スリーブ（６）の後端部に位置し、
前記射出装置は、筒状の射出部用外側スリーブ（２２）と、その内側にスライド可能に嵌め込まれる弾性を有する押込ロッド機構と、を含み、
前記注射アセンブリが前記射出装置と同軸に接続し、
前記弾性を有する押込ロッド機構の前端部が前記カートリッジアンプル（５）底部と前記ピストン（２６）を止める
ことを特徴とする液体薬剤自動注射器。
【請求項１４】
前記注射部用外側スリーブ（６）内径は、注射部用外側スリーブ（６）の内壁上に三段階の環形状の段を形成するように、注射部用外側スリーブ（６）の軸方向に沿っての前端部からの後端部まで三回拡大され、
その内側の第１の環形状の段は、注射部用外側スリーブ（６）の内壁の前端部に位置し、
第２の環形状の段と第３の環形状の段は、注射部用外側スリーブ（６）の内壁の中央部に位置する
ことを特徴とする請求項１３に記載の液体薬剤自動注射器。
【請求項１５】
前記注射針支持基台部（３）は、環形状で、その前端部は閉じられて中心部には穴が形成され、その後端部は開口して前記カートリッジアンプル（５）の瓶口がスライド可能にはめ込まれ、
前記注射針支持基台部（３）は、最終的にその前端部が、前記注射部用外側スリーブ（６）の内側の第１の環形状の段で止まるまで、前記カートリッジアンプル（５）と共に前へ移動し、
前記注射針（２８）は、前記注射針支持基台部（３）の中心部を介して延伸され、前記注射針支持基台部（３）と固定接続される
ことを特徴とする請求項１４に記載の液体薬剤自動注射器。
【請求項１６】
前記注射針支持基台部（３）の前端部には、注射針カバー（２）が与えられている
ことを特徴とする請求項１５に記載の液体薬剤自動注射器。
【請求項１７】
前記注射アセンブリは、切断リング（２５）と保護リング（４）を含み、
前記切断リング（２５）は、薄い鋼板で形成された短い筒状で、
その外径は、前記注射部用外側スリーブ（６）の第２の環形状の段と第３の環形状の段の間の内径と等しいか、又は、それより僅かに小さく、
その軸方向長さは、前記注射部用外側スリーブ（６）の第２の環形状の段と第３の環形状の段の間の距離に等しく、その後端部は、徐々に薄くなって環形状刃（２５１）を形成し、
前記保護リング（４）は、２個の半円形状の板材より構成され、その外径は、前記切断リング（２５）の内径より僅かに小さく、
前記注射部用外側スリーブ（６）における第２の環形状の段の前の部分の内径よりも僅かに小さく、その中心部に前記カートリッジアンプル（５）の瓶口を通すことができる円孔と、前記円孔周囲箇所からの前端部へ延びる筒状突起（４１）が与えられ、
前記保保護リング（４）の周囲に、２−１６個の接続リブ（４２）が、保護リング（４）の直径方向に等距離で分布するように形成され、
前記保護リング（４）の外径といずれか２個の反対側に位置する接続リブ（４２）との合計の長さ寸法は、注射部用外側スリーブ（６）における第３の環形状の段からの後端部までの部分における内径の長さ寸法よりも僅かに小さく、
前記切断リング（２５）は、前へ移動して前記注射部用外側スリーブ（６）の内側の第２の環形状の段で止められ、
前記保護リング（４）の筒状突起（４１）が前記カートリッジアンプル（５）のボトルネック上に嵌められ、
前記保護リング（４）の後端部は、前記カートリッジアンプル（５）のアンプル肩を止め、
前記保護リング（４）の周囲の接続リブ（４２）は、前へ移動して前記注射部用外側スリーブ（６）の内側の第３の環形状の段で止められ、
前記切断リング（２５）の切断刃（２５１）は、前記保護リング（４）周囲上に形成された接続リブ（４２）と当接する
ことを特徴とする請求項１４に記載の液体薬剤自動注射器。
【請求項１８】
前記注射部用外側スリーブ（６）の前端部の開口箇所には、保護キャップ（１）が与えられている
ことを特徴とする請求項１３に記載の液体薬剤自動注射器。
【請求項１９】
前記弾性を有する押込ロッド機構は、注射針押込ロッド（１９）、針延出用押込みロッドバネ（１７）、位置決めカップ（１６）、注射液押込ロッド（２０）、注射用押込ロッドバネ（１８）、伸長可能ロッド（２１）、射出キャップ（１３）、射出キャップ用バネ（１５）と固定リング（１４）から構成され、
前記注射針押込ロッド（１９）、位置決めカップ（１６）、注射液押込ロッド（２０）と伸長可能ロッド（２１）は、全て筒形状であり、外と内でスライド可能であるように順次嵌め込まれ、
前記注射針押込ロッド（１９）の後端部の直径は、段を形成するように拡大され、矢印形状の係止部は、前記射出部用外側スリーブ（２２）の後端部にはめられるように針延出用押込ロッド（１９）の後端部に形成され、位置決め突起は、前記射出部用外側スリーブ（２２）の内壁に与えられ、
前記位置決めカップ（１６）の後端部には、位置決めカップの直径よりも大きな直径を有する位置決めカップ終端面（１６１）を有し、
前記位置決めカップの終端面（１６１）は、中心が開口し、終端面の２側面方向には、各々２個の突起が形成され、
前記注射液押込ロッド（２０）の側面には、軸方向にスロット（２０１）を有し、
その後端部には矢印形状の係止部を有し、係止部は、前記位置決めカップ終端面（１６１）の中心の穴を通って延伸され、前記位置決めカップ終端面（１６１）の後端部に止められ、
前記伸長可能ロッド（２１）の中央部には、外側へ突出する弾性バックル（２１２）と突起（２１３）を有し、
その前端部には、伸長可能ロッドよりも大きな直径を有する伸縮可能ロッド終端面（２１１）を有し、
前記弾性バックル（２１２）と突起（２１３）は、前記注射液押込ロッド（２０）の側面の軸方向のスロット（２０１）にスライド可能にはめ込まれ、
前記突起（２１３）は、前記軸方向にスロット（２０１）の後端部を止め、
前記伸縮可能ロッド終端面（２１１）は、前記注射針押込ロッド（１９）の前端部の外側に位置し、
前記射出キャップ（１３）が二重の筒状構造であって、その外側の筒（１３１）の前端部両側に前記位置決めカップ終端面（１６１）突起と対応する欠け口を有し、その後端部直径が縮小して段を形成し、その後端部が閉じられ、
前記射出キャップ（１３）は、前記射出部用外側スリーブ（２２）の内部にスライド可能に嵌め込まれ、
前記位置決めカップ終端面（１６１）は、前記射出キャップの外側の筒（１３１）の前端部に嵌めこみ、
前記射出キャップ外側の筒（１３１）の前端部は、前記注射針押込ロッド（１９）の後端部に形成された鉤を止め、
前記固定リング（１４）が前記射出部用外側スリーブ（２２）の後端部にきつくはめ込まれ、
前記射出キャップ（１３）の前端部を、前記射出部用外側スリーブ（２２）の内側に位置決めし、
前記射出キャップ（１３）の後端部は、その固定リングの穴から延伸され、
前記針延出用押込みロッドバネ（１７）は、前記位置決めカップ（１６）外側に嵌められ、前記注射針押込ロッド（１９）の内側に形成された段と、前記位置決めカップ終端面（１６１）との間に位置する。
前記注射用押込ロッドバネ（１８）は、前記注射液押込ロッド（２０）の後端部に嵌められ、前記注射液押込ロッド（２０）の後端部の肩部と前記位置決めカップ終端面（１６１）の間に位置し、
前記射出キャップ用バネ（１５）は、前記射出キャップ外側の筒（１３１）の内側に形成された段と、前記位置決めカップ終端面（１６１）との間に位置する
ことを特徴とする請求項１３に記載の液体薬剤自動注射器。
【請求項２０】
前記注射部用外側スリーブ（６）の後端部と、前記射出部用外側スリーブ（２２）の前端部とは、同軸にネジ接続されるか、又は、緊密に嵌め合せ接続される
ことを特徴とする請求項１３〜１９のいずれかに記載の液体薬剤自動注射器。
【請求項２１】
前記注射部用外側スリーブ（６）の後端部と、前記射出部用外側スリーブ（２２）の前端部とは、一体に固定接続される
ことを特徴とする請求項１３〜１９に記載に記載の液体薬剤自動注射器。
【請求項２２】
前記位置決め軸（６２）は、前記注射部用外側スリーブ（６）の後端部の周縁部に対称に形成され、
前記射出装置用の位置決めスロット（２２２）は、前記射出部用外側スリーブ（２２）の前端部の周縁部に有対称に形成され、
前記位置決め軸（６２）は、前記射出装置用の位置決めスロット（２２２）に嵌め込まれる
ことを特徴とする請求項１３〜１９のいずれかに記載の液体薬剤自動注射器。
【発明の詳細な説明】
【技術分野】
【０００１】
本発明は、医療用自動注射器に関し、特に、粉体薬剤とその溶媒とが予め充填された即時薬剤混合型の自動注射器、及び、液体薬剤が予め充填された自動注射器に関する。
【背景技術】
【０００２】
数年来、本発明の出願人は、従来の注射器を用いた注射の手順中に発見された欠点に対して、従来の注射器の構成についての重要な改良を行い、中国及び他の複数の国に複数の特許を出願してきた。本出願人により出願されたそれらの特許出願の主題には、医療用の従来の注射器についてのこれと他の改良を予め含んでいる。しかし、これらの特許出願に示されたほとんどの注射器は、緊急状況用の即時自動注射器の機能を備えていないので、それらは、戦場での自己救護又は他の緊急の場合のような状況下における即時の注射の必要性に対して実用的とは言えなかった。さらに、従来技術では粉体薬剤を用いた自動注射器を開示していない。液体薬剤よりもしばしば高い治療効果を有する粉体薬剤は、緊急時の自己救護状況下における自動注射器用としては広く用いられてはいない。従来のそのような注射器は、薬剤の混合が煩雑であることと、処理手順が追加されることと、不純物が混ざる危険があることから、屋外医療施設で緊急に注射することには適していない。
【０００３】
本出願人により「液体薬剤−粉体薬剤即時混合型自動注射器」の名称で２００５年１２月０５日に中国国家知的所有権局特許局に出願された中国特許出願番号２００５１００９６４６７．１では、固体の粉体薬剤用の注射アセンブリ、薬剤混合アセンブリ、射出装置と可動連結機構から構成される自動注射器を開示している。その中で注射アセンブリは、固体の粉体薬剤を収容する溶質のアンプルを含む。薬剤混合アセンブリは、液体の溶媒を収容する溶媒のボトル（アンプル）を含む。射出装置は、押込ロッド、係止部及びバネアセンブリ構造を含む。可動連結機構は、中心回転軸と軸スリーブを含む。中心回転軸は、注射アセンブリに固定され、軸スリーブは、薬剤混合アセンブリと射出装置に固定され、薬剤混合アセンブリと射出装置の間に中心回転軸が位置する。中心回転軸は、軸スリーブの内側に挿入される。それにより、薬剤混合アセンブリと射出装置は、中心回転軸の周りを回転でき、従って注射アセンブリは、薬剤混合処理手順を実施するために薬剤混合アセンブリと連結してから、それに代えて自動注射処理手順のための射出装置の連結を順番に実施できる。
【０００４】
本出願人により「回転式液体薬剤−粉体薬剤即時混合型自動注射器」の名称で２００６年０８月２２日に中国国家知的所有権局特許局に出願された中国特許出願番号２００６２００７９６１６．３では、上述した２００５１００９６４６７．１の自動注射器中に開示した注射アセンブリ、薬剤混合アセンブリ、射出装置と可動連結機構に対する重要な改善を改良を開示している。注射アセンブリには、切断リングと保護リングを追加している。薬剤混合アセンブリには、ボトル戻し用バネを追加している。射出装置中の押込ロッドには、注射針を送り出す押込ロッド、注射液を送り出す押込ロッドと伸長可能なロッドを含んでいる。それに従い、押込ロッド用のバネも注射針押込ロッド用と、注射液押込ロッド用の２個のバネが各々に与えられている。解放端を有する可動連結機構の２個の回転軸スリーブが、薬剤混合アセンブリと射出装置の各々に対して与えられている。本実施形態では、中国特許出願番号２００５１００９６４６７．１に開示された固定接続の代わりに、中心回転軸と注射アセンブリは、解放端を有する回転軸スリーブを介して接続される。上記変更により自動注射器の動作と効果は非常に改善される。
【０００５】
本願は、上記した二件の中国出願に基づく優先権出願である。
【発明の開示】
【０００６】
本発明の主な目的は、従来の医療用注射器の不都合を改善できるように、注射前の準備処理手順を簡素化すると共に準備段階の間に薬剤への不純物混入の可能性を無くし、非医療施設での使用により適する液体薬剤−粉体薬剤即時混合型自動注射器と、液体薬剤自動注射器を提供することである。
【０００７】
本発明のもう一つの目的は、素早い注射と緊急救護に適用できるように、自動針送り機能と薬剤押し出し機能を有する液体薬剤−粉体薬剤即時混合型の自動注射器と、液体薬剤自動注射器を提供することである。
【０００８】
本発明の液体薬剤−粉体薬剤即時混合型自動注射器は、以下の技術的解決方法を採用することで実現される。液体薬剤−粉体薬剤即時混合型自動注射器は、注射アセンブリ、薬剤混合アセンブリと射出装置から構成される液体薬剤−粉体薬剤即時混合型自動注射器であり、その中には以下の構成を有している：
【０００９】
上述した注射アセンブリは、カートリッジアンプルがその内側にスライド可能に嵌め込まれる筒状の注射部用外側スリーブと、内部に粉体の薬剤が入れられて開口した底部を有するカートリッジアンプルと、カートリッジアンプルの内側に与えられるピストンと、カートリッジアンプルの瓶口と注射針支持基台部を介して同軸に接続されて両端に貫通端を有する注射針と、を含み、注射針は、注射部用外側スリーブの前端部に位置し、カートリッジアンプルの底部は、注射部用外側スリーブの後端部に位置する。
【００１０】
上述した薬剤混合アセンブリは、筒状の薬剤混合部用外側スリーブを含み、薬剤混合部用外側スリーブは、その前端部が閉じられ中心部に穴が開けられている。予め圧力かけて充填される溶媒ボトルが薬剤混合部用外側スリーブの穴にスライド可能に嵌め込まれ、両端に各々針先を有する薬剤混合用針は、薬剤混合用針支持基台部を介して溶媒ボトルの瓶口と同軸に接続される。薬剤混合用針は、薬剤混合部用外側スリーブの前端部に位置し、溶媒ボトルの底部は、薬剤混合部用外側スリーブの後端部に位置する。
【００１１】
上述した射出装置は、筒状の射出部用外側スリーブと、射出部用外側スリーブの内側にスライド可能に嵌め込まれる弾性を有する押込ロッド機構を含む。
【００１２】
上述した注射アセンブリの後端部は、回転可動連結機構を介して、薬剤混合アセンブリの前端部、及び、射出装置の前端部と、交互に接続する。
【００１３】
上述した注射アセンブリが薬剤混合アセンブリと同軸に接続される時、薬剤混合用針は、注射アセンブリの底部に与えられたピストンに向く。
【００１４】
上述した注射アセンブリが射出装置と同軸に接続される時、弾性を有する押込ロッドがカートリッジアンプル底部とピストンに対向配置される。
【００１５】
上述した液体薬剤−粉体薬剤即時混合型の自動注射器は、さらに以下の技術的な解決方法を実施できる。
【００１６】
上述した液体薬剤−粉体薬剤即時混合型の自動注射器において、注射部用外側スリーブの内径は、注射部用外側スリーブの内壁に三段階の環形状の段を形成するように、注射部用外側スリーブの軸方向に沿っての前端部からの後端部まで３回拡大される。その内側の第１の環形状の段は、注射部用外側スリーブの内壁の前端部に位置し、第２の環形状の段と第３の環形状の段は、注射部用外側スリーブの内壁の中央部に位置する。
【００１７】
上述した液体薬剤−粉体薬剤即時混合型の自動注射器において、注射針支持基台部は、環形状であり、その前端部は、閉じられた端部であり、穴がその中心に形成される。注射針支持基台部の後端部は、開口した端部であり、カートリッジアンプルの瓶口がスライド可能に嵌め込まれる。注射針支持基台部は、その前端部が注射部用外側スリーブの内側の第１の環形状の段で止まるまで、カートリッジアンプルと共に前に移動する。注射針は、注射針支持基台部の中心を介して延伸されており、注射針支持基台部と固定接続される。
【００１８】
上述した液体薬剤−粉体薬剤即時混合型の自動注射器において、注射針支持基台部の前端部には、注射針を保護する注射針カバーが与えられている。
【００１９】
上述した液体薬剤−粉体薬剤即時混合型の自動注射器において、注射アセンブリは、さらに切断リングと保護リングを含む。その中には以下を含む：
【００２０】
上述した切断リングは、薄い鋼板で形成された短い筒状である。切断リングの外径は、注射部用外側スリーブの第２の環形状の段と第３の環形状の段の間の部分の内径と等しいか、又は、それより僅かに小さい。切断リングの軸方向の長さは、注射部用外側スリーブの第２の環形状の段と第３の環形状の段との距離と等しい。切断リングの後端部は、徐々に薄くなって環形状刃を形成している。
【００２１】
上述した環形状の保護リングは、２個の半円形状の板材より構成される。保護リングの外径は、切断リングの内径より僅かに小さく、また、注射部用外側スリーブにおける第２の環形状の段の前の部分の内径よりも僅かに小さい。保護リングの中心部にカートリッジアンプルの瓶口を通すことができる円孔と、円孔の周囲箇所からの前端部へ向けて延伸されるように筒状突起が与えられる。保護リングの周囲に、２−１６個の接続リブが、保護リングの直径方向に等距離で分布するように形成される。保護リングの外径といずれか２個の反対側に位置する接続リブとの合計の長さ寸法は、注射部用外側スリーブにおける第３の環形状の段からの後端部までの部分における内径の長さ寸法よりも僅かに小さい。
【００２２】
上述した切断リングは、注射部用外側スリーブの内側の第２の環形状の段で止められる。保護リングの筒状突起は、カートリッジアンプルのボトルネックの上に嵌められる。保護リングの後端部は、カートリッジアンプルの肩部で止められる。接続リブは、前へ移動して注射部用外側スリーブの内側の第３の環形状の段で止められ、切断リングの切断刃は、保護リングの周囲上に形成された接続リブに直接に当接する。
【００２３】
上述した処理手順中の注射部用外側スリーブの前端部には、保護キャップが与えられている。
【００２４】
上述した液体薬剤−粉体薬剤即時混合型の自動注射器において、薬剤混合アセンブリは、さらに、ボトルホルダ、ロッキングリング、薬剤混合押ハンドルとボトル戻し用バネも含む。ボトルホルダの前端部は、溶媒ボトルの底部がはめ込まれて保持され、ボトルホルダの後端部は、薬剤混合押ハンドルがきつくはめ込まれる。ロッキングリングは、薬剤混合部用外側スリーブの後端部に、ネジ止め又はきつくはめ込むことで、薬剤混合部用外側スリーブの内部に溶媒ボトルを位置決めする。薬剤混合押ハンドルは、ロッキングリングの穴から延伸される。ボトル戻し用バネは、溶媒ボトルに嵌められ、その前端部と後端部が、それぞれ薬剤混合部用外側スリーブの前面の内側と、ボトルホルダの前端部に止められる。
【００２５】
上述した液体薬剤−粉体薬剤即時混合型の自動注射器において、その内部の薬剤混合用針支持基台部は、環形状であり、その前端部は閉じられ中心に穴が明けられて、薬剤混合用針を通させそれと固定接続する。薬剤混合用針支持基台部の後端部の開口には、溶媒ボトルの瓶口がスライド可能にはめ込まれる。薬剤混合用針支持基台部の内壁上には、溶媒ボトルの瓶口の後縁に掛かる鉤爪が与えられている。
【００２６】
上述した液体薬剤−粉体薬剤即時混合型の自動注射器において、弾性を有する押込ロッド機構は、針延出用押込ロッド、針延出用押込ロッドバネ、位置決めカップ、注射用押込ロッド、注射用押込ロッドバネ、伸長可能ロッド、射出キャップ、射出キャップバネと固定リングから構成される。その中には以下を含む：
【００２７】
上述した針延出用押込ロッド、位置決めカップ、注射用押込ロッドと伸長可能ロッドは、全て筒形状であり、外側と内側でスライド可能であるように順次嵌め込まれる。
【００２８】
上述した針延出用押込ロッドの後端部の直径は、段を形成するように拡大される。複数の矢印形状の係止部は、射出部用外側スリーブの後端部にはめられるように針延出用押込ロッドの後端部に形成され、位置決め用の突起は、針延出用押込ロッドの後端部の段形状で止まるように、射出部用外側スリーブの内壁に形成される。
【００２９】
上述した位置決めカップの後端部には、位置決めカップの直径よりも大きな直径を有する位置決めカップの終端面を有し、位置決めカップの終端面は、中心が開口し、終端面の２側面方向には、各々２個の突起が形成される。
【００３０】
上述した注射用押込ロッドの側面には、軸方向にスロットを有し、の後端部には矢印形状の係止部を有し、係止部は、位置決めカップ終端面の中心の穴を通って延伸され、位置決めカップ終端面の後端部に止められる。
【００３１】
上述した伸長可能ロッドの中央部には、外側へ突出する弾性バックルと突起を有する前端部には、伸長可能ロッドよりも大きな直径を有する伸長可能ロッド終端面を有する。弾性バックルと突起は、注射用押込ロッドの側面の軸方向のスロットに、スライド可能にはめ込まれる。突起は、軸方向にスロットの終端部で止まり、伸長可能ロッドの終端面は、針延出用押込ロッドの前端部の外側に位置する。
【００３２】
上述した射出キャップは、二重の筒状構造である。射出キャップの外側の筒には、位置決めカップ終端面の突起に対応する前端部両側に位置決めノッチを有する。射出キャップの後端部は、段を形成するために直径が縮小しており、射出キャップの後端部は、閉じられている。射出キャップは、射出部用外側スリーブの内部にスライド可能に嵌め込まれる。位置決めカップ終端面は、射出キャップの外側の筒の前端部にはめ込まれ、射出キャップ外側の筒の前端部は、針延出用押込ロッドの後端部に形成された鉤を止める。
【００３３】
上述した固定リングは、射出部用外側スリーブの後端部にきつく嵌め込まれ、射出キャップの前端部を、射出部用外側スリーブの内側に位置決めして、射出キャップの後端部は、その固定リングの穴から延伸される。
【００３４】
上述した針延出用押込ロッドバネは、位置決めカップの外側に嵌められ、針延出用押込ロッドの内側に形成された段と、位置決めカップ終端面との間に位置する。
【００３５】
上述した注射用押込ロッドバネは、注射用押込ロッドの後端部に嵌められ、注射用押込ロッドの後端部の肩部と、位置決めカップ終端面との間に位置する。
【００３６】
上述した射出キャップバネは、射出キャップの外側の筒の内側に形成された段と、位置決めカップ終端面との間に位置する。
【００３７】
上述した液体薬剤−粉体薬剤即時混合型の自動注射器において、可動連結機構は、さらに一つの中心回転軸、注射部用外側スリーブの一方の側に固定される注射アセンブリ用の２個の軸スリーブ、薬剤混合部用外側スリーブの一方の側に固定される薬剤混合アセンブリ用の２個の軸スリーブと、射出部用外側スリーブの一方の側に固定される射出装置用の２個の軸スリーブを含む。
各軸スリーブは、解放端を有し、中心回転軸に嵌め込み接続される。
【００３８】
上述した液体薬剤−粉体薬剤即時混合型の自動注射器において、可動連結機構は、さらに注射部用外側スリーブの後端部で軸スリーブの反対側に固定される位置決め軸、薬剤混合部用外側スリーブの前端部の対応する側面に固定される薬剤混合アセンブリの位置決めスロットと、射出部用外側スリーブの前端部の対応する側面に固定される射出装置用の位置決めスロットを含む。
注射アセンブリに、薬剤混合アセンブリと射出装置とを交換して同軸に接続する時、位置決め軸は、薬剤混合アセンブリの位置決めスロットと、射出装置の位置決めスロットに交換で嵌め込まれる。
【００３９】
上述した液体薬剤−粉体薬剤即時混合型の自動注射器において、可動連結機構は、さらに注射部用外側スリーブの後端部の周縁部に対称に形成される２個の位置決め軸、薬剤混合部用外側スリーブの前端部の周縁部に対称に形成される薬剤混合アセンブリの２個の位置決めスロットと、射出部用外側スリーブの前端部の周縁部に対称に形成される射出装置用の位置決めスロットを含む。
位置決め軸は、薬剤混合アセンブリの位置決めスロットと、射出装置用の位置決めスロットに交換で嵌め込まれる。
【００４０】
本発明による液体薬剤自動注射器は、以下の技術的解決方法を採用することで実現される。本液体薬剤自動注射器は、注射アセンブリ、薬剤混合アセンブリ、と射出装置から構成される。その中には以下を含む：
【００４１】
上述した注射アセンブリは、カートリッジアンプルがその内側にスライド可能に嵌め込まれる筒状の注射部用外側スリーブと、
内部に液体の薬剤が入れられて開口した底部を有するカートリッジアンプルと、
カートリッジアンプルの内側に与えられるピストンと、
カートリッジアンプルの瓶口と注射針支持基台部を介して同軸に接続されて両端に貫通端を有する注射針と、を含み、
注射針は、注射部用外側スリーブの前端部に位置し、カートリッジアンプルの底部は、注射部用外側スリーブの後端部に位置する。
【００４２】
上述した射出装置は、筒状の射出部用外側スリーブと、射出部用外側スリーブの内側にスライド可能に嵌め込まれる弾性を有する押込ロッド機構とを含む。
【００４３】
上述した注射アセンブリは、射出装置と同軸に接続され、弾性を有する押込ロッド機構の前端部は、カートリッジアンプルの底部とピストンに対向配置される。
【００４４】
本発明による液体薬剤自動注射器は、さらに以下の技術的解決方法を採用することで実現される。
【００４５】
上述した液体薬剤自動注射器において、注射部用外側スリーブの内径は、注射部用外側スリーブの内壁に三段階の環形状の段を形成するように、注射部用外側スリーブの軸方向に沿っての前端部からの後端部まで３回拡大される。
その内側の第１の環形状の段は、注射部用外側スリーブの内壁の前端部に位置し、第２の環形状の段と第３の環形状の段は、注射部用外側スリーブの内壁の中央部に位置する。
【００４６】
上述した液体薬剤自動注射器において、その内部の注射針支持基台部は、環形状であり、その前端部は、閉じられた端部であり、穴がその中心に形成される。注射針支持基台部の後端部は、開口した端部であり、カートリッジアンプルの瓶口とスライド可能にはめ込まれる。注射針支持基台部は、その前端部が注射部用外側スリーブの内側の第１の環形状の段で止まるまで、カートリッジアンプルと共に前へ移動する。注射針は、注射針支持基台部の中心部を介して延伸され、それと固定接続される。
【００４７】
上述した液体薬剤自動注射器において、注射針支持基台部の前端部には、注射針を保護する注射針カバーが与えられている。
【００４８】
上述した液体薬剤自動注射器において、注射アセンブリは、さらに切断リングと保護リングを含む。その中には以下を含む：
【００４９】
上述した切断リングは、薄い鋼板で形成された短い筒状である。切断リングの外径は、注射部用外側スリーブの第２の環形状の段と第３の環形状の段の間の部分の内径と等しいか、又は、それより僅かに小さい。切断リングの軸方向の長さは、注射部用外側スリーブの第２の環形状の段と第３の環形状の段との距離と等しい。切断リングの後端部は、徐々に薄くなって環形状刃を形成している。
【００５０】
上述した環形状の保護リングは、２個の半円形状の板材より構成される。保護リングの外径は、切断リングの内径より僅かに小さく、また、注射部用外側スリーブにおける第２の環形状の段の前の部分の内径よりも僅かに小さい。保護リングの中心部にカートリッジアンプルの瓶口を通すことができる円孔と、円孔の周囲箇所からの前端部へ向けて延伸されるように筒状突起が与えられる。保護リングの周囲に、２−１６個の接続リブが、保護リングの直径方向に等距離で分布するように形成される。保護リングの外径といずれか２個の反対側に位置する接続リブとの合計の長さ寸法は、注射部用外側スリーブにおける第３の環形状の段からの後端部までの部分における内径の長さ寸法よりも僅かに小さい。
【００５１】
上述した切断リングは、注射部用外側スリーブの内側の第２の環形状の段で止められる。保護リングの筒状突起は、カートリッジアンプルのボトルネックの上に嵌められる。保護リングの後端部は、カートリッジアンプルの肩部で止められる。接続リブは、前へ移動して注射部用外側スリーブの内側の第３の環形状の段で止められ、切断リングの切断刃は、保護リングの周囲上に形成される接続リブに直接に当接する。
【００５２】
上述した液体薬剤自動注射器において、注射部用外側スリーブの開口した前端部には、保護キャップが与えられている。
【００５３】
上述した液体薬剤自動注射器において、弾性を有する押込ロッド機構は、針延出用押込ロッド、針延出用押込ロッドバネ、位置決めカップ、注射用押込ロッド、注射用押込ロッドバネ、伸長可能ロッド、射出キャップ、射出キャップバネと固定リングから構成される。その中には以下を含む：
【００５４】
上述した針延出用押込ロッド、位置決めカップ、注射用押込ロッドと伸長可能ロッドは、全て筒形状であり、外側と内側でスライド可能であるように順次嵌め込まれる。
【００５５】
上述した針延出用押込ロッドの後端部の直径は、段を形成するように拡大される。複数の矢印形状の係止部は、射出部用外側スリーブの後端部にはめられるように針延出用押込ロッドの後端部に形成される。位置決め用の突起は、針延出用押込ロッドの後端部の段形状で止まるように、射出部用外側スリーブの内壁に形成される。
【００５６】
上述した位置決めカップの後端部には、位置決めカップの直径よりも大きな直径を有する位置決めカップの終端面を有し、位置決めカップの終端面は、中心が開口し、終端面の２側面方向には、各々２個の突起が形成される。
【００５７】
上述した注射用押込ロッドの側面には、軸方向にスロットを有し、の後端部には矢印形状の係止部を有し、係止部は、位置決めカップ終端面の中心の穴を通って延伸され、位置決めカップ終端面の後端部に止められる。
【００５８】
上述した伸長可能ロッドの中央部には、外側へ突出する弾性バックルと突起を有する前端部には、伸長可能ロッドよりも大きな直径を有する伸長可能ロッド終端面を有する。弾性バックルと突起は、注射用押込ロッドの側面の軸方向のスロットに、スライド可能にはめ込まれる。突起は、軸方向にスロットの終端部で止まり、伸長可能ロッドの終端面は、針延出用押込ロッドの前端部の外側に位置する。
【００５９】
上述した射出キャップは、二重の筒状構造である。射出キャップの外側の筒には、位置決めカップ終端面の突起に対応する前端部両側に位置決めノッチを有する。射出キャップの後端部は、段を形成するために直径が縮小しており、射出キャップの後端部は、閉じられている。射出キャップは、射出部用外側スリーブの内側にスライド可能に嵌め込まれる。位置決めカップ終端面は、射出キャップの外側の筒の前端部にはめ込まれ、射出キャップ外側の筒の前端部は、針延出用押込ロッドの後端部に形成された鉤を止める。
【００６０】
上述した固定リングが射出部用外側スリーブの後端部にきつく嵌め込まれ、射出キャップの前端部を、射出部用外側スリーブの内側に位置決めして、射出キャップの後端部は、その固定リングの穴から延伸される。
【００６１】
上述した針延出用押込ロッドバネは、位置決めカップの外側に嵌められ、針延出用押込ロッドの内側に形成された段と、位置決めカップ終端面との間に位置する。
【００６２】
上述した注射用押込ロッドバネは、注射用押込ロッドの後端部に嵌められ、注射用押込ロッドの後端部の肩部と、位置決めカップ終端面との間に位置する。
【００６３】
上述した射出キャップバネは、射出キャップの外側の筒の内側に形成された段と、位置決めカップ終端面との間に位置する。
【００６４】
上述した液体薬剤自動注射器において、注射部用外側スリーブの後端部は、射出部用外側スリーブの前端部ときつく接続されるか、又は、同軸にネジ止めされる。
【００６５】
上述した液体薬剤自動注射器において、全体として一体化するように、同軸に接続される。
【００６６】
上述した液体薬剤自動注射器において、位置決め軸は、注射部用外側スリーブの後端部の周縁部に対称に形成される。そして、射出装置用の位置決めスロットは、射出部用外側スリーブの前端部の周縁部に対称に形成される。位置決め軸は、射出装置用の位置決めスロットの内側に嵌め込まれる。
【００６７】
上述した説明は、本発明の技術内容の概略を示すものである。本発明の技術内容を明確に理解する為に、本明細書の内容によって実施した。それと共に本発明の上述した目的と他の目的を達成して、特徴と優位性をより理解し易くする為に、最良な実施形態を幾つか挙げて、それに添付図を追加して、下記の通り詳細に説明する。
【発明を実施するための最良の形態】
【００６８】
本発明が予め定められた発明の目的を達成する為に採用した技術手段及び効果を更に説明する為に、以下に添付した図と最良の実施形態により、本発明によって提案された液体薬剤−粉体薬剤即時混合型自動注射器と液体薬剤自動注射器の具体的な実施形態の構造、特徴と効果について、以下に詳細に説明する。
【００６９】
（実施形態１）
本発明の液体薬剤−粉体薬剤即時混合型自動注射器の一つの実施形態１（回転式液体薬剤−粉体薬剤即時混合型自動注射器）
【００７０】
図１から図１３に示すように、本発明の液体薬剤−粉体薬剤即時混合型自動注射器の一つの実施形態１（回転式液体薬剤−粉体薬剤即時混合型自動注射器）は、注射アセンブリ、薬剤混合アセンブリと射出装置から構成される。その中には以下を含む：
【００７１】
注射アセンブリは、カートリッジアンプル５がその内側にスライド可能に嵌め込まれる筒状の注射部用外側スリーブ６と、内部に粉体の薬剤が入れられて開口した底部を有するカートリッジアンプル５と、カートリッジアンプル５の内側に与えられるピストン２６と、カートリッジアンプル５の開口と注射針支持基台部３を介して同軸に接続されて両端に貫通端を有する注射針２８と、を含み、注射針２８は、注射部用外側スリーブ６の前端部に位置し、カートリッジアンプル５の底部は、注射部用外側スリーブ６の後端部に位置する。注射部用外側スリーブ６の前端部の開口部には、保護キャップ１が与えられる。
【００７２】
注射部用外側スリーブ６の内径は、注射部用外側スリーブ６の内壁上に三段階の環形状の段を形成するように、注射部用外側スリーブ６の軸方向に沿っての前端部からの後端部まで三回拡大される。第１の環形状の段は、注射針支持基台部３の可動部が前方側に動くことを制限するために、注射部用外側スリーブ６の内壁の前端部に位置する。第２の環形状の段は、切断リング２５の位置を決めるために、注射部用外側スリーブ６の内壁の中央部に位置する。第３の環形状の段と第２の環形状の段との間の距離は、保護リング４の位置を決めるために、切断リング２５の幅に等しい。
【００７３】
注射針支持基台部３は、環形状である。注射針支持基台部３の前端部は、閉じられた端部であり、穴がその中心に形成される。注射針支持基台部３の後端部は、開口した端部であり、カートリッジアンプル５の口がスライド可能にはめ込まれる。注射針２８は、注射針支持基台部３の中心部を介して延伸され、注射針支持基台部３と固定接続される。注射針支持基台部３の前端部には、注射針カバー２が与えられている。
【００７４】
図７に示すように、切断リング２５は、薄い鋼板で形成された短い筒状である。切断リング２５の外径は、注射部用外側スリーブ６の第２の環形状の段と第３の環形状の段の間の部分の内径と等しいか、又は、それより僅かに小さい。切断リング２５の軸方向長さは、注射部用外側スリーブ６の第２の環形状の段と第３の環形状の段との距離に等しい。切断リング２５の後端部は、徐々に薄くなって環形状刃２５１を形成している。
【００７５】
図８に示すように、保護リング４は、２個の半円形状の板材により構成され、その外径は、切断リング２５の内径より僅かに小さく、また、注射部用外側スリーブ６における第２の環形状の段の前の部分の内径よりも小さい。その中心部にカートリッジアンプル５の口を通すことができる円孔と、円孔の周囲箇所からの前端部へ向けて延伸されるように筒状突起４１が与えられ、保護リング４の周囲に、２−１６個の接続リブ４２が、保護リング４の直径方向に等距離で分布するように形成され、保護リング４の外径といずれか２個の反対側に位置する接続リブ４２との合計の長さ寸法は、注射部用外側スリーブ６における第３の環形状の段からの後端部までの部分における内径の長さ寸法よりも僅かに小さい。
【００７６】
図９に示すように、切断リング２５は、保護リング４と同軸に組み立てられ、それらが注射部用外側スリーブ６の内部に取り付けられる時に、切断リング２５の刃のない端部が前へ移動して注射部用外側スリーブ６の内側の第２の環形状の段で止められ、保護リング４の筒状突起４１は、カートリッジアンプル５のボトルネック上に嵌められ、保護リング４の後端部は、カートリッジアンプル５の肩部で止められ、保護リング４の周囲の接続リブ４２は、前へ移動して注射部用外側スリーブ６の内側の第３の環形状の段で止められ、切断リング２５の切断刃２５１は、保護リング４の周囲上に形成された接続リブ４２と当接する。
【００７７】
薬剤混合アセンブリは、筒状の薬剤混合部用外側スリーブ９を含み、薬剤混合部用外側スリーブ９は、その前端部が閉じられて中心部に穴が開けられて、その穴に、圧力の予め充填される溶媒ボトル８がその内側にスライド可能に嵌め込まれ、両端に各々針先を有する薬剤混合用針２７は、薬剤混合用針支持基台部７を介して溶媒ボトル８の開口と同軸に接続し、薬剤混合用針２７は、薬剤混合部用外側スリーブ９の前端部に位置し、溶媒ボトル８の底部は、薬剤混合部用外側スリーブ９の後端部に位置する。
【００７８】
薬剤混合用針支持基台部７は、環形状であり、その前端部は閉じられ中心部に穴が開けられて、薬剤混合用針２７を通させそれと固定接続する。その後端部の開口には、溶媒ボトル８の開口がスライド可能にはめ込まれる。その内壁上には、溶媒ボトル８の開口の後縁に掛かる鉤爪が与えられている。
【００７９】
薬剤混合アセンブリは、ボトルホルダ１０、ロッキングリング１１、薬剤混合押ハンドル１２とボトル戻し用バネ２４を含む。ボトルホルダ１０の前端部は、溶媒ボトル８の底部がはめ込まれて保持され、の後端部は、薬剤混合押ハンドル１２がきつくはめ込まれる。ロッキングリング１１は、薬剤混合部用外側スリーブ９の後端部に、ネジ止め又はきつくはめ込むことで、溶媒ボトル８を薬剤混合部用外側スリーブ９の内部に位置決めし、薬剤混合押ハンドル１２は、ロッキングリングの穴から延伸される。ボトル戻し用バネ２４は、溶媒ボトル８に嵌められ、その前端部と後端部が、それぞれ薬剤混合部用外側スリーブ９の前面の内側とボトルホルダ１０の前端部で止められる。
【００８０】
射出装置は、筒状射出部用外側スリーブ２２と、その内側にスライド可能に嵌め込まれる弾性を有する押込ロッド機構を含む。
【００８１】
弾性を有する押込ロッド機構は、針延出用押込ロッド１９、針延出用押込ロッドバネ１７、位置決めカップ１６、注射用押込ロッド２０、注射用押込ロッドバネ１８、伸長可能ロッド２１、射出キャップ１３、射出キャップバネ１５と固定リング１４から構成される。その中には以下を含む：
【００８２】
針延出用押込ロッド１９、位置決めカップ１６、注射用押込ロッド２０と伸長可能ロッド２１は、全て筒形状であり、外側と内側でスライド可能であるように順次嵌め込まれる。
【００８３】
針延出用押込ロッド１９の後端部の直径は、段を形成するように拡大され、矢印形状の係止部は、射出部用外側スリーブ２２の後端部にはめられるように針延出用押込ロッド１９の後端部に形成され、位置決め突起は、射出部用外側スリーブ２２の内壁上に与えられている。
【００８４】
図１２に示すように、位置決めカップ１６の後端部に直径の拡大する位置決めカップの終端面１６１を有し、位置決めカップの終端面１６１の中心部が開口して、それに両側に突起がある。
【００８５】
図１１に示すように、注射用押込ロッド２０の側面には、軸方向にスロット２０１を有し、の後端部には矢印形状の係止部を有し、係止部は、位置決めカップ終端面１６１の中心の穴を通って延伸され、位置決めカップ終端面１６１の後端部に止められる。
【００８６】
図１０に示すように、伸長可能ロッド２１中央部には、外側へ突出する弾性バックル２１２と突起２１３を有し、の前端部には、伸長可能ロッドよりも大きな直径を有する伸長可能ロッド終端面２１１を有し、弾性バックル２１２と突起２１３は、注射用押込ロッド２０の側面の軸方向のスロット２０１にスライド可能にはめ込まれ、突起２１３は、軸方向にスロット２０１の終端部で止まり、伸長可能ロッド終端面２１１は、針延出用押込ロッド１９の前端部の外側に位置する。
【００８７】
図１３に示すように、射出キャップ１３は、二重の筒状構造である。
その外側の筒１３１には、の前端部両側に位置決めカップ終端面１６１突起と対応するノッチを有し、の後端部の直径が縮小して段を形成し、の後端部が閉じられ、射出キャップ１３が射出部用外側スリーブ２２内部にスライド可能に嵌め込まれ、位置決めカップ終端面１６１が射出キャップ外側の筒１３１の前端部にはめ込み、射出キャップ外側の筒１３１の前端部は、針延出用押込ロッド１９の後端部に形成された鉤を止める。
【００８８】
固定リング１４が射出部用外側スリーブ２２の後端部にきつく嵌め込まれ、射出キャップ１３の前端部を、射出部用外側スリーブ２２の内側に位置決めして、射出キャップ１３の後端部はその固定リングの穴から延伸される。
【００８９】
針延出用押込ロッドバネ１７は、位置決めカップ１６外に嵌められ、針延出用押込ロッド１９の内側に形成された段と、位置決めカップ終端面１６１との間に位置する。
【００９０】
注射用押込ロッドバネ１８は、注射用押込ロッド２０の後端部に嵌められ、注射用押込ロッド２０の後端部の肩部と、位置決めカップ終端面１６１との間に位置する。
【００９１】
射出キャップバネ１５は、射出キャップの外側の筒１３１の内側に形成された段と、位置決めカップ終端面１６１との間に位置する。
【００９２】
本実施形態では、注射アセンブリの後端部は、回転可動連結機構を介して、薬剤混合アセンブリの前端部、及び、射出装置の前端部と、交互に接続する。
【００９３】
回転可動連結機構は、一つの中心回転軸２３、注射部用外側スリーブ６の一方の側に固定される注射アセンブリ用の２個の軸スリーブ６１、薬剤混合部用外側スリーブ９の一方の側に固定される薬剤混合アセンブリ用の２個の軸スリーブ９１と、射出部用外側スリーブ２２の一方の側に固定される射出装置用の２個の軸スリーブ２２１を含み、注射アセンブリ用の軸スリーブ６１、薬剤混合アセンブリ用の軸スリーブ９１と射出装置用の軸スリーブ２２１は、全て解放端を有する軸スリーブで、中心回転軸２３に嵌め込み接続される。
【００９４】
回転可動連結機構は、注射部用外側スリーブ６の後端部で注射アセンブリ用の軸スリーブ６１の反対側に固定される位置決め軸６２、薬剤混合部用外側スリーブ９の前端部の対応する側面に固定される薬剤混合アセンブリの位置決めスロット９２と、射出部用外側スリーブ２２の前端部の対応する側面に固定される射出装置用の位置決めスロット２２２を含む。注射アセンブリに薬剤混合アセンブリと射出装置とを交換して同軸に接続する時、位置決め軸６２は、薬剤混合アセンブリの位置決めスロット９２と、射出装置用の位置決めスロット２２２に交換で嵌め込まれる。
【００９５】
本実施形態では、図１に、使用前の回転式液体薬剤−粉体薬剤即時混合型自動注射器の初期状態を示す。この時、位置決め軸６２は、薬剤混合アセンブリの位置決めスロット９２に嵌め込まれ、注射アセンブリの後端部と薬剤混合アセンブリの前端部を同軸に接続する。注射針支持基台部３は、カートリッジアンプル５の開口に部分的に嵌め込まれる。注射針２８の後端部は、カートリッジアンプル５の開口のゴム栓に刺し込まれていない。注射針２８の前端部は、注射部用外側スリーブ６の前端部の開口の内側にある。薬剤混合用針支持基台部７は、溶媒ボトル８の開口に部分的に嵌め込まれる。薬剤混合用針２７の後端部は、溶媒ボトル８の開口のゴム栓に刺し込まれていない。薬剤混合用針２７の前端部は、注射アセンブリの底部のピストン２６に向いている。
【００９６】
薬剤混合操作を行う時には、注射器の前端部を下向きにし、薬剤混合アセンブリの薬剤混合押ハンドル１２を押し、ボトルホルダ１０を介してボトル戻し用バネ２４を押して、それにより溶媒ボトル８を押して前へ移動させる。薬剤混合用針支持基台部７は、薬剤混合部用外側スリーブ９の前端部まで移動する。薬剤混合用針２７の前端部は、カートリッジアンプル５の後端部のピストン２６を刺し通す。溶媒ボトル８の開口は、完全に薬剤混合用針支持基台部７に入る。薬剤混合用針２７の後端部は、溶媒ボトル８のボトル開口のゴム栓を刺し通し、それにより、カートリッジアンプル５と溶媒ボトル８とは相互につながる。溶媒ボトル８の中の溶媒（液体）は、予め充填されたガスの圧力の作用により、カートリッジアンプル５に入り、カートリッジアンプル５の内部の粉体薬剤と混合する。図２に、その時の注射器の状態を示す。
【００９７】
薬剤混合処理手順の終了後には、押された薬剤混合押ハンドル１２がリリースされ、ボトル戻し用バネ２４の作用により、ボトルホルダ１０が溶媒ボトル８と共に後へ移動する。この以前に溶媒ボトル８の開口がすでに完全に薬剤混合用針支持基台部７に入っている為、薬剤混合用針支持基台部７の内壁の鉤爪は、溶媒ボトル８の開口の後縁と係合している。溶媒ボトル８は、薬剤混合用針支持基台部７と共に後へ移動する。薬剤混合用針２７の前端部は、ピストン２６中から引き抜かれ、薬剤混合部用外側スリーブ９の内部に戻される。図３に、その時の注射器の状態を示す。
【００９８】
次に、注射アセンブリを中心回転軸２３の周りで回転させ、それにより注射アセンブリを薬剤混合アセンブリから離れさせる。注射アセンブリを、位置決め軸６２が射出装置用の位置決めスロット２２２に嵌め込まれるまで引き続き回転させる。それにより、注射アセンブリが、射出装置と同軸に接続される。射出装置中の弾性を有する押込ロッド機構の前端部は、カートリッジアンプル５の底部とピストン２６に当接する。図４に、その時の注射器状態を示す。
【００９９】
中心回転軸２３と嵌め合される薬剤混合アセンブリ用の軸スリーブ９１は、解放端を有する軸スリーブであるので、薬剤混合アセンブリは、中心回転軸２３から分離される（又は、任意で、分離されなくてもよい）。それから、注射アセンブリの前端部の保護キャップ１と注射針カバー２を除去することによって、注射実施前の全ての準備作業を完成する。ここで、注射器の前端部を人体の注射部位に合わせ、軸スリーブ２２の後端部の射出キャップ１３を下へ押し下げる。すると、射出キャップ１３の外側の筒１３２の前縁が、注射針を注射位置に刺しこむために、針延出用押込ロッド１９の後端部の矢印形状の係止部の斜面を押し、係止部を内側へ縮め、係止部が射出部用外側スリーブ２２の後端部の縁から離れるようにする。この時、針延出用押込ロッド１９は、その針延出用押込ロッド１９の後端部の段の外側が、射出部用外側スリーブ２２の内壁上に形成された位置決め突起に係止されるまで、針延出用押込ロッドバネ１７の作用により前に移動する。同時に、伸長可能ロッド２１は動かされて前へ移動され、伸長可能ロッド２１の弾性バックル２１２が注射用押込ロッド２０の側面の軸方向にスロット２０１から離れ、注射用押込ロッド２０の前端部に嵌めまる。カートリッジアンプル５は前へ移動し、カートリッジアンプル５の肩部が保護リング４を前へ押し、保護リング４の接続リブ４２が切断リング２５の刃２５１に圧着するようにし、全ての接続リブ４２が根元から切られる。この時、保護リング４は、注射部用外側スリーブ６の内壁上に形成された第３の環形状の段により妨げられなくなる。そのため、カートリッジアンプル５は、保護リング４と一緒に注射部用外側スリーブ６の内部で素早く前へ移動し、注射針支持基台部３の前端部が注射部用外側スリーブ６の内壁上の第１の環形状の段に当接するまで、注射針支持基台部３を前へ移動するよう押す。この時、カートリッジアンプル５の開口は、完全に注射針支持基台部３に入り、注射針２８は、注射部用外側スリーブ６の前端部の開口を通して人体の注射位置に刺し込まれる。
図５に、その時の注射器状態を示す。
【０１００】
更に、射出キャップ１３を押し下げ、射出キャップ１３の内環１３２の前縁が、注射用押込ロッド２０の後端部に形成された矢印形状の係止部の斜面を圧迫し、それにより係止部を内側へ縮め、位置決めカップ１６の後端部面１６１から離れさせる。すると、注射用押込ロッド２０は、注射用押込ロッドバネ１８の作用により、伸長可能ロッド２１を動かして前へ移動させ、ピストン２６を押してカートリッジアンプル５の内部の粉体薬剤が混合して溶解された溶媒液体を徐々に人体に注射する。最終的にピストンはカートリッジアンプル５の開口まで前に移動し、カートリッジアンプル５の内部の薬液を全部押し出す。図６に、その時の注射器状態を示す。
【０１０１】
（実施形態２）
本発明の液体薬剤−粉体薬剤即時混合型自動注射器の実施形態２（分離式液体薬剤−粉体薬剤即時混合型自動注射器）
【０１０２】
図７から図２２までに示すように、本発明の液体薬剤−粉体薬剤即時混合型自動注射器のもう一つの最良な実施形態（分離式液体薬剤−粉体薬剤即時混合型自動注射器）も、実施形態１と同様に注射アセンブリ、薬剤混合アセンブリと射出装置から構成される。その注射アセンブリ、薬剤混合アセンブリと射出装置に含まれる部品、及び、接続、嵌め合せ関係は、全て上述した実施形態１と同様である。本実施形態が異なるのは、本実施形態では、分離式可動連結機構を介して、注射アセンブリの後端部を、薬剤混合アセンブリの前端部、及び、射出装置の前端部と、各々交換で同軸に接続することである。
【０１０３】
分離式可動連結機構は、注射部用外側スリーブ６の後端部の周縁部に対称に形成される二つの位置決め軸６２、薬剤混合部用外側スリーブ９の前端部の周縁部に対称に形成される薬剤混合アセンブリの２個の位置決めスロット９２、及び、射出部用外側スリーブ２２の前端部の周縁部に対称に形成される２個の射出装置用の位置決めスロット２２２を含む。位置決め軸６２は、それぞれ薬剤混合アセンブリの位置決めスロット９２及び射出装置用の位置決めスロット２２２と交換で嵌め込まれる。
【０１０４】
使用前の本実施形態２の分離式液体薬剤−粉体薬剤即時混合型自動注射器の注射アセンブリ、薬剤混合アセンブリと、射出装置は、図１４、図１５と図１６に示すように、相互に接続しておらず分離されている。使用時には、まず、注射アセンブリの後端部を薬剤混合アセンブリの前端部と同軸に接続し、その後、注射アセンブリを少し回転させて、位置決め軸６２を薬剤混合アセンブリの位置決めスロット９２に嵌め込む。それにより、注射アセンブリが薬剤混合アセンブリと一体に接続される。図１７に、その時の注射器状態を示し、この場合、薬剤混合の操作を行う準備が整う。
【０１０５】
本実施形態２の薬剤混合操作プロセスは、実施形態１と同様であるので、繰り返しを省略する。図１８と図１９は、それぞれ本実施形態の注射器薬剤混合時と薬剤混合完成後の状態を示す。
【０１０６】
薬剤混合操作の終了後、注射アセンブリは、薬剤混合アセンブリから分離される。それから、注射アセンブリの後端部は、射出装置の前端部と同軸に接続される。その後、注射アセンブリを少し回転させることで、位置決め軸６２は、射出装置用の位置決めスロット２２２に、嵌め込まれる。それにより、注射アセンブリが射出装置と一体に接続される。図２０に、その時の注射器状態を示し、この場合、注射の操作を行う準備が整う。
【０１０７】
本実施形態２の注射操作プロセスは、実施形態１と全く同様であるので、繰り返し説明を省略する。図２１と図２２は、それぞれ本実施形態の注射器薬剤混合時と薬剤混合完成後の状態を示す。
【０１０８】
（実施形態３）
本発明の液体薬剤自動注射器の実施形態
【０１０９】
図７〜図１４、図１６、図２０〜図２２に示すように、本発明による液体薬剤自動注射器の最良な実施形態は、注射アセンブリと射出装置から構成される。
その注射アセンブリと射出装置に含まれる部品、及び、接続、嵌め合せ関係は、全て上述した実施形態２（分離式液体薬剤−粉体薬剤即時混合型自動注射器）と同様である。本実施形態が異なるのは、本実施形態では、薬剤混合アセンブリを有していないことである。
【０１１０】
使用前の本実施形態３の液体薬剤自動注射器は、図１４と図１６の示すように、注射アセンブリと射出装置とは接続しておらず、分離されている。
【０１１１】
使用時には、まず、注射アセンブリの後端部を射出装置の前端部と同軸に接続し、それから、注射アセンブリを少し回転させて、位置決め軸６２を射出装置用の位置決めスロット２２２に嵌め込む。それにより、注射アセンブリが薬剤混合アセンブリと一体に接続される。図２０に、その時の注射器状態を示し、この場合、薬剤混合の操作を行う準備が整う。
【０１１２】
本実施形態３の注射操作プロセスは、実施形態２と全く同様であるので、繰り返し説明を省略する。図２１と図２２は、それぞれ本実施形態の注射器針送りと注射操作後の状態を示す。
【０１１３】
本発明の液体薬剤自動注射器では、薬剤混合操作が不要になるので、薬剤混合アセンブリがない。また、注射アセンブリに対して薬剤混合アセンブリと射出装置を交換して接続する問題が存在しない。そして、注射アセンブリと射出装置とに対して固定接続方式を適用することができる。ここでの固定接続方式は、例えば、注射部用外側スリーブ６の後端部と、射出部用外側スリーブ２２の前端部とが、ネジを貫通させて接続されるか、又は、緊密に嵌め合せられて接続されるか、又は、注射部用外側スリーブ６の後端部と、射出部用外側スリーブ２２の前端部とが、一体に固定接続されるか、等の全ての実行可能である方式を含む。一体式構造の液体薬剤自動注射器を使用する際には、使用前に、注射アセンブリを射出装置と接続する操作手順を省略して、直接に注射操作のプロセスを実施することができる。そのため、注射アセンブリと射出装置の接続構造を、簡素化することができる。
【０１１４】
上記した説明は、本発明の最良な実施形態を示すものであり、本発明に対して何等の制限を与えるものではない。また、本発明についての最良な実施形態を上記のように説明したが、本発明を限定するものではない。当業者は、本発明の技術的方法に含まれる範囲内で、上記した技術内容を利用して多少の変更又は追加することで、様々に実施形態を変化させることができる。但し、本発明の技術的方法の内容を含み、本発明の技術思想により、上記した各実施形態に対する如何なる簡単な修正、様々な変化と追加を加えたものも、全て本発明の技術的方法により保護される範囲内にある。
【０１１５】
（工業応用性）
本発明の液体薬剤−粉体薬剤即時混合型自動注射器と液体薬剤自動注射器は、完全に現存の医療用注射器の欠点を克服し、応用範囲を大きく拡大した。従来の技術と比較して、本発明の液体薬剤−粉体薬剤即時混合型自動注射器と液体薬剤自動注射器は、少なくとも下記の優位性と有益効果を有する：
【０１１６】
１、  本発明の液体薬剤−粉体薬剤即時混合型自動注射器は、溶媒、溶質と注射器を一体化させ、注射前の薬剤混合操作と薬剤充填操作を簡素化した。本発明の液体薬剤自動注射器は、液体薬剤と注射器を一体化させることによって、注射前の薬剤充填操作を省略した。両者は、いずれも注射前の準備時間を短縮することにより、作業效率を著しく向上させることができる。
【０１１７】
２、  上述と同様に、本発明の液体薬剤−粉体薬剤即時混合型自動注射器は、注射前の薬剤混合と薬剤充填操作を完全に注射器の内部で行うようにした。本発明の液体薬剤自動注射器は、薬剤混合と薬剤充填操作がない為、普通の注射器を使用して薬剤充填操作を行うことによって発生する可能性がある汚染を有効に避けることができる。但し、本発明の注射器は、病院の使用に適合するというよりも、野外、戦地等の非医療場所における使用に、より適合する。
【０１１８】
３、  本発明の液体薬剤−粉体薬剤即時混合型自動注射器と液体薬剤自動注射器の独特な弾性押込ロッド構造は、自動針送りと自動注射の機能を持たせることができる。これは、緊急救護時と戦地における自己救護時に、より大きな実用的意義を有する。
【０１１９】
４、  本発明の液体薬剤−粉体薬剤即時混合型自動注射器と液体薬剤自動注射器は、使用が簡単で、且つ、早くできるだけでなく、携帯も容易であるので、確実に産業利用価値を有し、産業界の広範に使用することにも適する。
【０１２０】
５、  本発明は、構造設計、使用の実用性とコスト利益上で、確実に産業発展のニーズに合っている。上記に記載された構造は、従来にはない革新的な設計であり、如何なる定期刊行物にも公表されたことがない。出願前に同じ構造的特徴が公知となったことがない。市場にも類似製品がない。即ち、同類製品の中に類似する構造設計は発表・使用されたことがない。これにより真実の進歩性を有する。
【０１２１】
６、  本発明の注射器構造は、現在の医療用注射器よりも技術進歩性を有し、本発明の独特な構造特性と機能も現在の医療用注射器が比べられないものであり、現有の医療用注射器より技術進歩性があるので、創造性を有している。
【０１２２】
７、  本発明の出願人は、医療器械を実際に研究・設計・製造する専門会社であり、この種類の製品を改良するにはすでに十数年の経験を持ち、現在の医療用注射器の構造に存在している問題と不都合を十分了解している。本発明は、上述した不都合を研究・解決することによって起案された。本発明は、完全に予測された効果に達するので、確実に実用性を有している。
【図面の簡単な説明】
【０１２３】
【図１】本発明の液体薬剤−粉体薬剤即時混合型自動注射器の実施形態１の初期状態における構造を示す断面図である。
【図２】本発明の液体薬剤−粉体薬剤即時混合型自動注射器の実施形態１の薬剤混合状態における構造を示す断面図である。
【図３】本発明の液体薬剤−粉体薬剤即時混合型自動注射器の実施形態１の薬剤混合が完成した状態における構造を示す断面図である。
【図４】本発明の液体薬剤−粉体薬剤即時混合型自動注射器の実施形態１の注射アセンブリと射出装置とが接続された状態における構造を示す断面図である。
【図５】本発明の液体薬剤−粉体薬剤即時混合型自動注射器の実施形態１の針送り状態における構造を示す断面図である。
【図６】本発明の液体薬剤−粉体薬剤即時混合型自動注射器の実施形態１の注射完成状態における構造を示す断面図である。
【図７】本明細書に記載された全ての実施形態で採用される切断リングの構造を示す立体図である。
【図８】本明細書に記載された全ての実施形態で採用される保護リングの構造を示す立体図である。
【図９】図７で示した切断リングと図８で示した保護リングと組み合わせた構造の軸方向の断面図である。
【図１０】本明細書に記載された全ての実施形態で採用される弾性を有する押込ロッド機構における伸長可能ロッドの構造を示す立体図である。
【図１１】本明細書に記載された全ての実施形態で採用される注射用押込ロッドの構造を示す立体図である。
【図１２】本明細書に記載された全ての実施形態で採用される位置決めカップの構造を示す立体図である。
【図１３】本明細書に記載された全ての実施形態で採用される射出キャップの構造を示す立体図である。
【図１４】本発明の液体薬剤−粉体薬剤即時混合型自動注射器の実施形態２と液体薬剤自動注射器の実施形態の注射アセンブリの構造を示す断面図である。
【図１５】本発明の液体薬剤−粉体薬剤即時混合型自動注射器の実施形態２の薬剤混合アセンブリの構造を示す断面図である。
【図１６】本発明の液体薬剤−粉体薬剤即時混合型自動注射器の実施形態２と液体薬剤自動注射器の実施形態の射出装置構造を示す断面図である。
【図１７】本発明の液体薬剤−粉体薬剤即時混合型自動注射器の実施形態２の初期状態における構造を示す断面図である。
【図１８】本発明の液体薬剤−粉体薬剤即時混合型自動注射器の実施形態２の薬剤混合状態における構造を示す断面図である。
【図１９】本発明の液体薬剤−粉体薬剤即時混合型自動注射器の実施形態２の薬剤混合が完成した状態における構造を示す断面図である。
【図２０】本発明の液体薬剤−粉体薬剤即時混合型自動注射器の実施形態２の注射アセンブリと射出装置とが接続された状態における構造を示す断面図であり、それと同時に本発明の液体薬剤自動注射器の実施形態の初期状態における構造を示す断面図である。
【図２１】本発明の液体薬剤−粉体薬剤即時混合型自動注射器の実施形態２と液体薬剤自動注射器の実施形態の針送り状態における構造を示す断面図である。
【図２２】本発明の液体薬剤−粉体薬剤即時混合型自動注射器の実施形態２と液体薬剤自動注射器の実施形態の注射完成状態における構造を示す断面図である。
【図１】
2009518080.tif 000003
【図２】
2009518080.tif 000004
【図３】
2009518080.tif 000005
【図４】
2009518080.tif 000006
【図５】
2009518080.tif 000007
【図６】
2009518080.tif 000008
【図７】
2009518080.tif 000009
【図８】
2009518080.tif 000010
【図９】
2009518080.tif 000011
【図１０】
2009518080.tif 000012
【図１１】
2009518080.tif 000013
【図１２】
2009518080.tif 000014
【図１３】
2009518080.tif 000015
【図１４】
2009518080.tif 000016
【図１５】
2009518080.tif 000017
【図１６】
2009518080.tif 000018
【図１７】
2009518080.tif 000019
【図１８】
2009518080.tif 000020
【図１９】
2009518080.tif 000021
【図２０】
2009518080.tif 000022
【図２１】
2009518080.tif 000023
【図２２】
2009518080.tif 000024
【国際調査報告】
2009518080.tif 000025
2009518080.tif 000026
2009518080.tif 000027
2009518080.tif 000028